(57)【要約】【課題】内周面に油溝を備えながらも焼き付きが発生し易くなるのを抑制することが可能なすべり軸受を提供する。【解決手段】上側に配置されるアッパー側軸受及び下側に配置されるロア側軸受２０を組み合わせて形成され、クランクジャーナル１ａとの間に形成される油膜を介して当該クランクジャーナル１ａを回転可能に支持する円筒状の主軸受２であって、ロア側軸受２０は、当該ロア側軸受２０の内周面のうち、前記油膜から受ける圧力が小さい範囲に設定された低負荷領域Ｌ内に形成される油溝２３を具備した。【選択図】図８
2015152105.tif 000002
【特許請求の範囲】
【請求項１】
上側に配置される上側半円筒状軸受及び下側に配置される下側半円筒状軸受を組み合わせて形成され、軸部材との間に形成される油膜を介して当該軸部材を回転可能に支持する円筒状のすべり軸受であって、
前記下側半円筒状軸受は、
当該下側半円筒状軸受の内周面のうち、前記油膜から受ける圧力が小さい範囲に設定された低負荷領域内に形成される油溝を具備することを特徴とするすべり軸受。
【請求項２】
前記低負荷領域は、
前記上側半円筒状軸受の内周面と前記軸部材との間の油膜厚さが最小となる位置から、前記すべり軸受の軸線に対して１８０度対称な位置を基準として、前記軸部材の回転方向上流側及び回転方向下流側に向かって所定角度以内の範囲に設定される、
請求項１に記載のすべり軸受。
【請求項３】
前記低負荷領域は、
前記下側半円筒状軸受の内周面の両端部にそれぞれ形成された下側クラッシュリリーフから、前記すべり軸受の軸線を中心として１６度以上離れた範囲に設定される、
請求項１に記載のすべり軸受。
【発明の詳細な説明】
【技術分野】
【０００１】
本発明は、一対の半円筒状軸受を組み合わせて形成され、軸部材を回転可能に支持する円筒状のすべり軸受の技術に関する。
【背景技術】
【０００２】
従来、一対の半円筒状軸受を組み合わせて形成され、軸部材を回転可能に支持する円筒状のすべり軸受の技術は公知となっている。例えば、特許文献１に記載の如くである。
【０００３】
特許文献１に記載の半割形状のすべり軸受（半円筒状軸受）は、内周面の両端部に形成されるクラッシュリリーフと、一方のクラッシュリリーフの近傍から他方のクラッシュリリーフの近傍に亘って形成される油溝と、当該油溝とクラッシュリリーフとの間に形成され、油溝内の潤滑油がクラッシュリリーフ内に流入することを阻止する流入阻止部と、を具備している。
【０００４】
このように構成されたすべり軸受においては、油溝とクラッシュリリーフとが連通しないように流入阻止部によって遮られている。したがって、油溝からクラッシュリリーフを介してすべり軸受の外部へと漏れる潤滑油の量を低減することができる。これによって、油溝内の潤滑油をすべり軸受の内周面に十分に供給することができ、潤滑油量の不足による不具合（焼き付きや摩耗等）の発生を抑制することができる。
【０００５】
しかしながら、特許文献１に記載の技術では、油溝が広い範囲、すなわち一方のクラッシュリリーフの近傍（具体的には、すべり軸受の円周方向に１５度以内）から他方のクラッシュリリーフの近傍に亘って形成されているため、軸部材を受ける面の面積が減り、焼き付きが発生し易くなる点で不利であった。
【先行技術文献】
【特許文献】
【０００６】
【特許文献１】特開２００５−２４９０２４号公報
【発明の概要】
【発明が解決しようとする課題】
【０００７】
本発明は以上の如き状況に鑑みてなされたものであり、その解決しようとする課題は、内周面に油溝を備えながらも焼き付きが発生し易くなるのを抑制することが可能なすべり軸受を提供することである。
【課題を解決するための手段】
【０００８】
本発明の解決しようとする課題は以上の如くであり、次にこの課題を解決するための手段を説明する。
【０００９】
即ち、請求項１においては、上側に配置される上側半円筒状軸受及び下側に配置される下側半円筒状軸受を組み合わせて形成され、軸部材との間に形成される油膜を介して当該軸部材を回転可能に支持する円筒状のすべり軸受であって、前記下側半円筒状軸受は、当該下側半円筒状軸受の内周面のうち、前記油膜から受ける圧力が小さい範囲に設定された低負荷領域内に形成される油溝を具備するものである。
【００１０】
請求項２においては、前記低負荷領域は、前記上側半円筒状軸受の内周面と前記軸部材との間の油膜厚さが最小となる位置から、前記すべり軸受の軸線に対して１８０度対称な位置を基準として、前記軸部材の回転方向上流側及び回転方向下流側に向かって所定角度以内の範囲に設定されるものである。
【００１１】
請求項３においては、前記低負荷領域は、前記下側半円筒状軸受の内周面の両端部にそれぞれ形成された下側クラッシュリリーフから、前記すべり軸受の軸線を中心として１６度以上離れた範囲に設定されるものである。
【発明の効果】
【００１２】
本発明の効果として、以下に示すような効果を奏する。
【００１３】
請求項１においては、低負荷領域に油溝を形成することにより、焼き付きが発生し易くなるのを抑制することができる。
【００１４】
請求項２においては、適切な位置に低負荷領域を設定することができる。
【００１５】
請求項３においては、適切な位置に低負荷領域を設定することができる。
【図面の簡単な説明】
【００１６】
【図１】クランクシャフトの概略構成を示した側面模式図。
【図２】クランクジャーナルの支持部の構成を示した正面断面図。
【図３】主軸受及びクランクジャーナルを示した正面断面図。
【図４】アッパー側軸受を示した正面断面図。
【図５】ロア側軸受を示した正面断面図。
【図６】（ａ）図４におけるＡ−Ａ断面図。（ｂ）図５におけるＢ−Ｂ断面図。
【図７】アッパー側軸受の上端部近傍を示した正面断面拡大図。
【図８】ロア側軸受の下端部近傍を示した正面断面拡大図。
【図９】低負荷領域の他の設定例を示した主軸受及びクランクジャーナルの正面断面図。
【図１０】第二の設定方法による低負荷領域の設定例を示した主軸受及びクランクジャーナルの正面断面図。
【図１１】同じく、低負荷領域の他の設定例を示した主軸受及びクランクジャーナルの正面断面図。
【発明を実施するための形態】
【００１７】
以下の説明では、図中に示した矢印に従って、上下方向、前後方向及び左右方向を定義する。
【００１８】
まず、図１を用いて、本発明に係るすべり軸受の一実施形態に係る主軸受２が設けられるクランクシャフト１に関する構成、及び当該クランクシャフト１に関する潤滑油供給機構の概略について説明する。
【００１９】
クランクシャフト１は内燃機関（エンジン）を構成する部材であり、ピストンの往復運動を回転運動に変換するためのものである。クランクシャフト１は、主としてクランクジャーナル１ａ、クランクアーム１ｂ、クランクピン１ｃ及び連通油路１ｄを具備する。
【００２０】
クランクジャーナル１ａは本発明に係る軸部材の実施の一形態であり、主軸受２を介してシリンダブロック３に回転可能に支持される。主軸受２には、その外周面と内周面とを連通する貫通孔１４が形成される。クランクピン１ｃはクランクアーム１ｂを介してクランクジャーナル１ａと連結される。クランクピン１ｃは、コンロッド軸受４を介してコンロッド５に回転可能に連結される。連通油路１ｄは、クランクジャーナル１ａの外周面とクランクピン１ｃの外周面とを連通するように、クランクシャフト１内に形成される。
【００２１】
このような構成において、シリンダブロック３に形成された潤滑油路３ｃを介して、図示せぬメインオイルホールからの潤滑油が主軸受２へと供給される。さらに当該潤滑油は、主軸受２の貫通孔１４を介して、当該主軸受２の内周面側へと供給される。当該潤滑油によって主軸受２とクランクジャーナル１ａとの摺動面が潤滑される。
【００２２】
主軸受２の内周面側へと供給された潤滑油は、さらに連通油路１ｄを介してクランクピン１ｃの外周面へと供給される。当該潤滑油によってクランクピン１ｃとコンロッド軸受４との摺動面が潤滑される。
【００２３】
以下では、図２を用いて、クランクジャーナル１ａとシリンダブロック３との連結部（クランクジャーナル１ａの支持部）の構成について説明する。
【００２４】
シリンダブロック３は、本体側ハウジング３ａと、当該本体側ハウジング３ａの下部に固定されるキャップ３ｂとを具備する。本体側ハウジング３ａの下端面には、正面視半円弧状に凹むように軸受部３ｄが形成されている。キャップ３ｂの上端面には、正面視半円弧状に凹むように軸受部３ｅが形成されている。当該軸受部３ｄと軸受部３ｅとの間にクランクジャーナル１ａが挟み込まれるようにして支持される。この際、シリンダブロック３とクランクジャーナル１ａとの間には主軸受２が介装される。
【００２５】
このような構成において、クランクジャーナル１ａが回転（本実施形態においては、正面視時計回りに回転するものとする）すると、当該クランクジャーナル１ａの外周面と主軸受２の内周面との間に、潤滑油路３ｃを介して供給される潤滑油の油膜が形成される。クランクジャーナル１ａは、当該油膜を介してシリンダブロック３に回転可能に支持される。
【００２６】
以下では、図２から図６までを用いて、主軸受２の構成について詳細に説明する。
【００２７】
図２及び図３に示す主軸受２は、クランクジャーナル１ａを回転可能に支持する円筒状のすべり軸受である。主軸受２は、一対の半円筒状軸受（アッパー側軸受１０及びロア側軸受２０）を具備する。アッパー側軸受１０とロア側軸受２０とを向かい合わせに上下に組み合わせることで、円筒状の主軸受２が形成される。
【００２８】
図３、図４及び図６（ａ）に示すアッパー側軸受１０は、本発明に係る上側半円筒状軸受の実施の一形態であり、主軸受２のうち上半部を形成する部材である。アッパー側軸受１０は半円筒状（円筒を、軸線を通る直径で切断した形状）に形成される。アッパー側軸受１０は、その内周面を下方に向けた状態でシリンダブロック３の本体側ハウジング３ａの軸受部３ｄに配置される（図２参照）。アッパー側軸受１０は、主として上流側クラッシュリリーフ１１、下流側クラッシュリリーフ１２、油溝１３及び貫通孔１４を具備する。
【００２９】
図３及び図４に示す上流側クラッシュリリーフ１１及び下流側クラッシュリリーフ１２は、アッパー側軸受１０の内周面を凹状に切り欠いて形成される部分である。上流側クラッシュリリーフ１１は、アッパー側軸受１０の左下端部（クランクジャーナル１ａの回転方向上流側（以下、単に「上流側」と記す）の端部）に形成される。下流側クラッシュリリーフ１２は、アッパー側軸受１０の右下端部（クランクジャーナル１ａの回転方向下流側（以下、単に「下流側」と記す）の端部）に形成される。アッパー側軸受１０に上流側クラッシュリリーフ１１及び下流側クラッシュリリーフ１２を設けることで、当該アッパー側軸受１０の両端部近傍において変形が生じた場合であっても、不具合（具体的には、変形した部分がクランクジャーナル１ａに局部当たりすること）の発生を防止することができる。
【００３０】
図３、図４及び図６（ａ）に示す油溝１３は、アッパー側軸受１０の内周面において潤滑油を案内すると共に、当該内周面において潤滑油を適宜貯溜するためのものである。油溝１３は、アッパー側軸受１０の内周面に形成される。油溝１３は、アッパー側軸受１０の円周方向に沿って延びるように形成される。油溝１３の一端部（上流側の端部）は上流側クラッシュリリーフ１１と連通される。油溝１３の他端部（下流側の端部）は下流側クラッシュリリーフ１２と連通される。すなわち、油溝１３は上流側クラッシュリリーフ１１と下流側クラッシュリリーフ１２とを連通するように形成される。
【００３１】
油溝１３は、アッパー側軸受１０の前後中央部に形成される（図６（ａ）参照）。油溝１３は、その全域に亘って前後方向に一定の幅となるように形成される。また、油溝１３は、その全域に亘って一定の深さとなるように形成される。ここで、クランクジャーナル１ａに形成された連通油路１ｄの開口部は、前後方向において油溝１３と同一の位置に形成される。これによって、クランクジャーナル１ａが回転して連通油路１ｄの開口部と油溝１３とが対向した場合、当該油溝１３内の潤滑油が連通油路１ｄを介してクランクピン１ｃ（図１参照）へと供給される。
【００３２】
貫通孔１４は、本発明に係る給油孔の実施の一形態であり、アッパー側軸受１０の内周面（より詳細には、油溝１３）と外周面とを連通するものである。貫通孔１４は、アッパー側軸受１０の左右中央部（上端部）に形成される。
【００３３】
図３、図５及び図６（ｂ）に示すロア側軸受２０は、本発明に係る下側半円筒状軸受の実施の一形態であり、主軸受２のうち下半部を形成する部材である。ロア側軸受２０は半円筒状に形成される。ロア側軸受２０は、その内周面を上方に向けた状態でシリンダブロック３のキャップ３ｂの軸受部３ｅに配置される（図２参照）。ロア側軸受２０は、主として上流側クラッシュリリーフ２１、下流側クラッシュリリーフ２２及び油溝２３を具備する。
【００３４】
図３及び図５に示す上流側クラッシュリリーフ２１及び下流側クラッシュリリーフ２２は、本発明に係る下側クラッシュリリーフの実施の一形態であり、ロア側軸受２０の内周面を凹状に切り欠いて形成される部分である。上流側クラッシュリリーフ２１は、ロア側軸受２０の右上端部（上流側の端部）に形成される。下流側クラッシュリリーフ２２は、ロア側軸受２０の左上端部（下流側の端部）に形成される。ロア側軸受２０に上流側クラッシュリリーフ２１及び下流側クラッシュリリーフ２２を設けることで、当該ロア側軸受２０の両端部近傍において変形が生じた場合であっても、不具合（具体的には、変形した部分がクランクジャーナル１ａに局部当たりすること）の発生を防止することができる。
【００３５】
図３、図５及び図６（ｂ）に示す油溝２３は、ロア側軸受２０の内周面において潤滑油を案内すると共に、当該内周面において潤滑油を適宜貯溜するためのものである。油溝２３は、ロア側軸受２０の内周面に形成される。油溝２３は、ロア側軸受２０の円周方向に沿って延びるように形成される。油溝２３は、ロア側軸受２０の所定の範囲に亘って形成される。なお、当該油溝２３が形成される範囲については後述する。
【００３６】
油溝２３は、ロア側軸受２０の前後中央部に形成される（図６（ｂ）参照）。この際、クランクジャーナル油溝２３は、その全域に亘って前後方向に一定の幅となるように形成される。また、油溝２３は、その全域に亘って一定の深さとなるように形成される。ここで、クランクジャーナル１ａに形成された連通油路１ｄの開口部は、前後方向において油溝２３と同一の位置に形成される。これによって、クランクジャーナル１ａが回転して連通油路１ｄの開口部と油溝２３とが対向した場合、当該油溝２３内の潤滑油が連通油路１ｄを介してクランクピン１ｃ（図１参照）へと供給される。
【００３７】
以下では、図３を用いて、アッパー側軸受１０及びロア側軸受２０における潤滑油の流れについて説明する。
【００３８】
貫通孔１４を介して外部からアッパー側軸受１０の内周面（油溝１３）へと供給された潤滑油は、重力やクランクジャーナル１ａの回転に伴って当該油溝１３内を下方へと流通する。特に、正面視時計回りに回転するクランクジャーナル１ａによって、当該潤滑油は油溝１３内を正面視時計回りに流通する。油溝１３内を流通する潤滑油の一部がアッパー側軸受１０とクランクジャーナル１ａとの摺動面に供給され、当該摺動面に油膜を形成する。
【００３９】
油溝１３の端部（特に、下流側の端部）まで流通した潤滑油の一部は、下流側クラッシュリリーフ１２を介してアッパー側軸受１０（主軸受２）の外部へと排出される。また、その他の潤滑油は、下流側クラッシュリリーフ１２及び上流側クラッシュリリーフ２１を介してロア側軸受２０の内周面へと供給される。当該潤滑油によって、ロア側軸受２０とクランクジャーナル１ａとの摺動面に油膜が形成される。当該潤滑油は、クランクジャーナル１ａの回転に伴ってロア側軸受２０と当該クランクジャーナル１ａとの摺動面を正面視時計回りに流通する。当該潤滑油の一部は、ロア側軸受２０の油溝２３へと供給される。油溝２３内の潤滑油は、クランクジャーナル１ａの回転によって、当該油溝２３内を正面視時計回りに流通する。
【００４０】
ロア側軸受２０の下流側の端部まで流通した潤滑油の一部は、下流側クラッシュリリーフ２２を介してロア側軸受２０（主軸受２）の外部へと排出される。また、その他の潤滑油は、下流側クラッシュリリーフ２２及び上流側クラッシュリリーフ１１を介してアッパー側軸受１０の内周面（油溝１３）へと供給される。
【００４１】
以下では、図７及び図８を用いて、ロア側軸受２０の油溝２３が形成される範囲について説明する。
【００４２】
ロア側軸受２０の油溝２３は、当該ロア側軸受２０の内周面のうち、当該ロア側軸受２０とクランクジャーナル１ａとの間に形成される油膜から受ける圧力（負荷）が小さい範囲（以下、この範囲を「低負荷領域」と記す）Ｌ内に形成される。当該低負荷領域は、実験や数値解析等によって予め設定することが可能である。以下、低負荷領域Ｌの設定方法について説明する。
【００４３】
なお、低負荷領域Ｌの設定方法は複数あるため、以下では第一の設定方法と第二の設定方法に分けて説明する。まず、図７から図９までを用いて、低負荷領域Ｌの第一の設定方法について説明する。
【００４４】
図７に示すように、クランクジャーナル１ａと主軸受２との間の油膜には、当該油膜の厚さが最も薄く（小さく）なる部分（この部分の油膜を「最小油膜ｈｍｉｎ」と記す）が生じる。また、クランクジャーナル１ａを支持する主軸受２においては、一般的に、アッパー側軸受１０側に形成された油膜において、当該最小油膜ｈｍｉｎが生じる。当該最小油膜ｈｍｉｎが生じる部分に対応するアッパー側軸受１０の内周面上の位置を、点Ｐ１とする。油膜の厚さは、最小油膜ｈｍｉｎ部分で最も小さくなるため、油膜中の圧力も当該最小油膜ｈｍｉｎ部分で最も高くなる。
【００４５】
なお、本実施形態においては、説明の便宜上、最小油膜ｈｍｉｎはアッパー側軸受１０の最上部（左右中央）に生じるものとする。すなわち、点Ｐ１は軸線Ｃの鉛直上方に位置する。
【００４６】
一方、図８に示すように、点Ｐ１から軸線Ｃに対して１８０度対称な、ロア側軸受２０の内周面上の位置（すなわち、ロア側軸受２０の内周面上における、軸線Ｃの鉛直下方の位置）を点Ｐ２とすると、アッパー側軸受１０で最小油膜ｈｍｉｎが生じた時に、当該点Ｐ２に対応する部分の油膜（この油膜を「最大油膜ｈｍａｘ」と記す）の厚さは最も厚く（大きく）なる。最大油膜ｈｍａｘ部分で油膜の厚さが最も大きくなるため、油膜中の圧力も当該最大油膜ｈｍａｘ部分で最も低くなる。すなわち、主軸受２が油膜から受ける圧力（負荷）は、点Ｐ２において最も小さくなる。
【００４７】
そこで、本実施形態においては、当該点Ｐ２を基準として、上流側及び下流側に向かって所定角度α以内の範囲を低負荷領域Ｌとして設定する。低負荷領域Ｌは点Ｐ２の近傍であるため、当該低負荷領域Ｌにおいてロア側軸受２０が油膜から受ける圧力（負荷）は比較的小さいと考えられる。
【００４８】
なお、所定角度αの値は、任意に設定することができる。但し、点Ｐ２から離れて点Ｐ１に近づくにつれて油膜の厚さは小さくなり、当該油膜中の圧力も高くなる。従って、所定角度αは９０度以内（すなわち、低負荷領域Ｌは点Ｐ２を基準（中心）として±９０℃以内の範囲）に設定されることが望ましい。
【００４９】
本実施形態では、このようにして設定された低負荷領域Ｌ内に油溝２３を形成する。具体的には、低負荷領域Ｌの上流側端部から下流側端部（すなわち、低負荷領域Ｌの全域）に亘るように油溝２３を形成する。
【００５０】
このように油溝２３を形成することによって、ロア側軸受２０のクランクジャーナル１ａを受ける面の面積は減少する。通常であれば、クランクジャーナル１ａを受ける面の面積が減少すると、残った面で高い圧力（負荷）を受けることになるため、焼き付きが発生し易くなるおそれがある。
【００５１】
しかし、そもそも低負荷領域Ｌではロア側軸受２０は高い圧力（油膜の圧力）を受けておらず、油溝２３を形成したとしても当該クランクジャーナル１ａを支持する機能にあまり悪影響がない。従って、低負荷領域Ｌ内に油溝２３を形成することで、焼き付きが発生し易くなるのを抑制することができる。
【００５２】
以上の如く、本実施形態に係る主軸受２（すべり軸受）は、上側に配置されるアッパー側軸受１０（上側半円筒状軸受）及び下側に配置されるロア側軸受２０（下側半円筒状軸受）を組み合わせて形成され、クランクジャーナル１ａ（軸部材）との間に形成される油膜を介して当該クランクジャーナル１ａを回転可能に支持する円筒状の主軸受２であって、ロア側軸受２０は、当該ロア側軸受２０の内周面のうち、前記油膜から受ける圧力が小さい範囲に設定された低負荷領域Ｌ内に形成される油溝２３を具備するものである。
【００５３】
このように構成することで、低負荷領域Ｌに油溝２３を形成することにより、焼き付きが発生し易くなるのを抑制することができる。
【００５４】
また、低負荷領域Ｌは、アッパー側軸受１０の内周面とクランクジャーナル１ａとの間の油膜厚さが最小となる位置から、主軸受２の軸線Ｃに対して１８０度対称な位置を基準として、クランクジャーナル１ａの回転方向上流側及び回転方向下流側に向かって所定角度α以内の範囲に設定されるものである。
【００５５】
このように構成することにより、適切な位置（すなわち、油膜の圧力が比較的低い位置）に低負荷領域Ｌを設定することができる。
【００５６】
なお、上記第一の設定方法においては、説明の便宜上、点Ｐ１はアッパー側軸受１０の最上部（軸線Ｃの鉛直上方）に位置するものとしたが、本発明はこれに限るものではない。例えば、図９に示すように、最小油膜ｈｍｉｎが生じる位置（点Ｐ１）がアッパー側軸受１０の最上部から左右にずれた位置にあることが実験等により分かった場合には、当該Ｐ１から軸線Ｃに対して１８０度対称な位置を点Ｐ２とする。そして、当該点Ｐ２を基準として低負荷領域Ｌを設定することができる。
【００５７】
また、図７から図９までにおいては、油溝２３が上流側クラッシュリリーフ２１及び下流側クラッシュリリーフ２２に連通していない例を示したが、本発明はこれに限るものではなく、油溝２３は上流側クラッシュリリーフ２１及び下流側クラッシュリリーフ２２に連通していても良い。
【００５８】
また、上記第一の設定方法においては、点Ｐ２を基準として上流側及び下流側に向かって同じ角度（すなわち、所定角度α）以内の範囲を低負荷領域Ｌとして設定するものとしたが、本発明はこれに限るものではなく、点Ｐ２から上流側に向かう角度と下流側に向かう角度は異なる値であっても良い。
【００５９】
次に、図１０を用いて、低負荷領域Ｌの第二の設定方法について説明する。
【００６０】
上記第一の設定方法でも述べたように、一般的には、アッパー側軸受１０側に形成された油膜において、当該最小油膜ｈｍｉｎが生じる。そこで、第二の設定方法では、ロア側軸受２０の内周面のうち、所定の範囲を低負荷領域Ｌとして設定する。
【００６１】
具体的には、低負荷領域Ｌは、上流側クラッシュリリーフ２１から下流側に向けて所定角度βだけ離れた位置から、下流側クラッシュリリーフ２２から上流側に向けて所定角度βだけ離れた位置までの範囲となるように設定される。具体的には、所定角度βは、１６度以上の値に設定されることが望ましい。
【００６２】
本実施形態では、このようにして設定された低負荷領域Ｌ内に油溝２３を形成する。具体的には、低負荷領域Ｌの上流側端部から下流側端部（すなわち、低負荷領域Ｌの全域）に亘るように油溝２３を形成する。低負荷領域Ｌ内に油溝２３を形成することで、焼き付きが発生し易くなるのを抑制することができる。
【００６３】
以上の如く、低負荷領域Ｌは、ロア側軸受２０の内周面の両端部にそれぞれ形成された上流側クラッシュリリーフ２１及び下流側クラッシュリリーフ２２（下側クラッシュリリーフ）から、主軸受２の軸線Ｃを中心として１６度以上離れた範囲に設定されるものである。
【００６４】
このように構成することにより、適切な位置（すなわち、油膜の圧力が比較的低い位置）に低負荷領域Ｌを設定することができる。
【００６５】
なお、上記第二の設定方法においては、低負荷領域Ｌは、上流側クラッシュリリーフ２１及び下流側クラッシュリリーフ２２から同じ角度（すなわち、所定角度β）だけ離れた位置を基準に低負荷領域Ｌを設定するものとしたが、本発明はこれに限るものではなく、上流側クラッシュリリーフ２１からの角度と下流側クラッシュリリーフ２２からの角度は異なる値であっても良い。
【００６６】
また、上記第一の設定方法及び第二の設定方法の説明においては、低負荷領域Ｌの全域に亘って油溝２３を形成するものとしたが、本発明はこれに限るものではない。すなわち、設定された低負荷領域Ｌのうちの一部分にのみ油溝２３を形成することも可能である。また、図１１に示すように、設定された低負荷領域Ｌ内に複数の油溝２３を形成しても良い。図１１には、２つの油溝２３（上流側油溝２３ａ及び下流側油溝２３ｂ）を形成した例を示している。
【００６７】
なお、本実施形態においては、本発明に係るすべり軸受をクランクジャーナル１ａを回転可能に支持する主軸受２に適用した例を示したが、本発明はこれに限るものではない。すなわち、本発明は、その他のすべり軸受（例えば、クランクピン１ｃとコンロッド５との間に介装されるコンロッド軸受４）に適用することも可能である。
【符号の説明】
【００６８】
１    クランクシャフト
１ａ  クランクジャーナル（軸部材）
２    主軸受（すべり軸受）
１０  アッパー側軸受（上側半円筒状軸受）
２０  ロア側軸受（下側半円筒状軸受）
２１  上流側クラッシュリリーフ（下側クラッシュリリーフ）
２２  下流側クラッシュリリーフ（下側クラッシュリリーフ）
２３  油溝
【図１】
2015152105.tif 000003
【図２】
2015152105.tif 000004
【図３】
2015152105.tif 000005
【図４】
2015152105.tif 000006
【図５】
2015152105.tif 000007
【図６】
2015152105.tif 000008
【図７】
2015152105.tif 000009
【図８】
2015152105.tif 000010
【図９】
2015152105.tif 000011
【図１０】
2015152105.tif 000012
【図１１】
2015152105.tif 000013